(57)【特許請求の範囲】
【請求項１】
着用者の腹側を覆うフロント部、着用者の背側を覆うバック部、ならびに、前記フロント部とバック部との間の股部を有するオムツ本体と、前記バック部の胴回り方向の一方の端部に固定された第１端部を有する第１ベルトと、前記バック部の胴回り方向の他方の端部に固定された第２端部を有する第２ベルトとを備え、着用時に前記第１および第２ベルトが互いに接合されて着用者の胴回りを締めるオムツの製造方法であって、
搬送方向に連続すると共に前記第１端部となる第１側部を有する帯状の第１ウエブを搬送する工程と、
前記第１ウエブを搬送しながら、前記第１ウエブの長手方向に連続した第１折りラインに沿って、前記第１ウエブを折り返す工程と、
搬送方向に連続すると共に前記第２端部となる第２側部を有する帯状の第２ウエブを搬送する工程と、
前記第２ウエブを搬送しながら、前記第２ウエブの長手方向に連続した第２折りラインに沿って、前記第２ウエブを折り返す工程と、
前記第１折りラインと前記第２折りラインとが互いに近接ないし互いに重なるように、前記第１ウエブおよび／または第２ウエブの搬送経路を変更する工程と、
前記第１および第２ウエブを折り返す工程および前記搬送経路を変更する工程の後、前記第１ウエブおよび第２ウエブを各ウエブの幅方向に延びる切断線に沿って切断して前記第１および第２ベルトの組を次々に形成する工程と、
前記オムツ本体を構成する連続体における前記バック部を構成する部位に重なるように、前記第１および第２ベルトの各組を前記連続体の搬送方向の所定の間隔で配置する工程と、
前記所定の間隔で配置した第１および第２ベルトを、前記連続体における前記バック部を構成する部位に仮接合する工程と、
前記第１ベルトにおける前記第１側部を、前記連続体における前記バック部の胴回り方向の一方の端部を構成する部位に固定し、第２ベルトにおける前記第２側部を、前記連続体における前記バック部の胴回り方向の他方の端部を構成する部位に固定することで、前記第１および第２ベルトの組を前記連続体に固定する工程と、
前記第１および第２ベルトが固定された前記連続体を前記所定の間隔で切断して、個々のオムツに切り放す工程とを含むオムツの製造方法。
【請求項２】
請求項１において、前記第１ウエブを折り返す工程において、前記第１側部が前記第１ウエブの前記第１側部以外の部位に重ならないように前記第１ウエブが折り返され、
前記第２ウエブを折り返す工程において、前記第２側部が前記第２ウエブの前記第２側部以外の部位に重ならないように前記第２ウエブが折り返され、
前記第１および第２ベルトの各組を配置する工程において、前記第１側部が前記連続体の第１側縁から突出する状態で配置され、かつ、前記第２側部が前記連続体の前記第１側縁とは反対側の第２側縁から突出する状態で配置され、
前記各ベルトの組を前記連続体に固定する工程において、前記連続体の前記第１側縁から突出する前記第１側部の少なくとも一部を折り返して、前記第１側部と前記第１ベルトの前記第１側部以外の部分との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２ベルトの前記第２側部以外の部分との間で前記連続体を挟んだ後に、前記第２側部のうちの前記折り返された部位の少なくとも一部が前記連続体の前記第２側縁の近傍に固定されるオムツの製造方法。
【請求項３】
請求項１において、前記搬送経路を変更する工程の後、前記第１および第２ウエブを切断する工程の前に、前記第１ウエブの前記第１折りラインの部位と前記第２ウエブの第２折りラインの部位とを互いに仮接合して１つの仮接合ウエブを形成する工程を更に備えたオムツの製造方法。
【請求項４】
着用者の腹側を覆うフロント部、着用者の背側を覆うバック部、ならびに、前記フロント部とバック部との間の股部を有するオムツ本体と、前記バック部の胴回り方向の一方の端部に固定された第１端部を有する第１ベルトと、前記バック部の胴回り方向の他方の端部に固定された第２端部を有する第２ベルトとを備え、着用時に前記第１および第２ベルトが互いに接合されて着用者の胴回りを締めるオムツの製造方法であって、
搬送方向に連続すると共に前記第１端部となる第１側部および前記第２端部となる第２側部を有する帯状のウエブを搬送する工程と、
前記ウエブを搬送しながら、前記ウエブの長手方向に連続した波形の切断線に沿って前記ウエブを切断することで、前記ウエブの幅方向に延びる複数の第１帯状部を有すると共に前記各第１帯状部同士が前記ウエブの前記第１側部において連なる櫛状の第１分割ウエブと、前記ウエブの幅方向に延びる複数の第２帯状部を有すると共に前記各第２帯状部同士が前記ウエブの前記第２側部において連なる櫛状の第２分割ウエブとを形成する工程と、
前記第１帯状部の一部と他部とが互いに重なるように前記第１帯状部を前記ウエブの長手方向に延びる第１折りラインに沿って折り返すと共に、前記第１帯状部の一部と他部とを仮接合する工程と、
前記第２帯状部の一部と他部とが互いに重なるように前記第２帯状部を前記ウエブの長手方向に延びる第２折りラインに沿って折り返すと共に、前記第２帯状部の一部と他部とを仮接合する工程と、
前記第１分割ウエブを前記第１側部において切断すると共に前記第２分割ウエブを前記第２側部において切断して、前記第１帯状部を含む第１ベルトおよび前記第２帯状部を含む第２ベルトの組を次々に形成する工程と、
前記オムツ本体を構成する連続体における前記バック部を構成する部位に重なるように、前記第１および第２ベルトの各組を前記連続体の搬送方向の所定の間隔で配置する工程と、
前記所定の間隔で配置した第１および第２ベルトを前記連続体における前記バック部を構成する部位に仮接合する工程と、
前記第１ベルトにおける前記第１側部を前記バック部の胴回り方向の前記一方の端部を構成する部位に固定し、前記第２ベルトにおける前記第２側部を前記バック部の胴回り方向の前記他方の端部を構成する部位に固定することで、前記第１および第２ベルトの組を前記連続体に固定する工程と、
前記第１および第２ベルトが固定された前記連続体を前記所定の間隔で切断して、個々のオムツに切り放す工程とを含むオムツの製造方法。
【請求項５】
請求項４において、前記第１および第２ベルトの各組を配置する工程において、前記第１側部が前記連続体の第１側縁から突出する状態で配置され、かつ、前記第２側部が前記連続体の前記第１側縁とは反対側の第２側縁から突出する状態で配置され、
前記各ベルトの組を前記連続体に固定する工程において、前記連続体の前記第１側縁から突出する前記第１側部の少なくとも一部を折り返して、前記第１側部と前記第１帯状部との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２帯状部との間で前記連続体を挟んだ後に、前記第２側部のうちの前記折り返された部位の少なくとも一部が前記連続体の前記第２側縁の近傍に固定されるオムツの製造方法。
【請求項６】
請求項４において、前記第１側部と前記第２側部とが互いに離れる方向に前記第１分割ウエブおよび第２分割ウエブを相対的に変位させる工程を更に含み、
前記第１および第２ベルトの各組を配置する工程において、前記第１ベルトの第１側部の概ね全部が前記連続体の前記第１側縁から突出する状態で配置され、前記第２ベルトの第２側部の概ね全部が前記連続体の前記第２側縁から突出する状態で配置され、
前記各ベルトの組を前記連続体に固定する工程において、前記連続体の前記第１側縁から突出する前記第１側部の少なくとも一部を折り返して、前記第１側部と前記第１帯状部との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２帯状部との間で前記連続体を挟んだ後に、前記第２側部のうちの前記折り返された部位の少なくとも一部が前記連続体の前記第２側縁の近傍に固定されるオムツの製造方法。
【請求項７】
請求項４において、前記第１帯状部と前記第２帯状部とが互いに仮接合される工程をさらに備えたオムツの製造方法。
【発明の詳細な説明】
【技術分野】
【０００１】
本発明はベルトを備えたオムツの製造方法に関する。
【背景技術】
【０００２】
ベルトを備えたオムツは、着用者自身が立った姿勢で、着用者自身によって着用されるのに適している。かかるオムツとしては、下記の３つの特許文献に開示されたオムツが挙げられる。
【特許文献１】特開２００３−９３４４３号（要約書）
【特許文献２】特表２００４−５０８１３８号（ＷＯ２００２／０２２０６２）（要約書）
【特許文献３】特表２００４−５１６０７２号（ＷＯ２００２／０４９５６８）（要約書）
【発明の開示】
【０００３】
ベルトを備えたオムツにおいて、２本のベルト同士の位置ズレを防止することは重要である。また、オムツの長い２本のベルトの切断と配置を行う装置は、一般に、複雑な構造になり易い。
したがって、本発明の目的は、ベルト相互の位置ズレが生じにくいオムツを製造でき、また、装置構成の簡易なオムツの製造方法を提供することである。
【０００４】
前記各特許文献に開示されたオムツでは、前記ベルトの幅が一定である。オムツのバック部を着用者の背面（背部）にフィットさせるには、ベルトの幅を広くするのが好ましい。しかし、幅の広いベルトは着用者の腹部における着用感を悪化させるかもしれない。
一方、着用者の背面において幅が広く、かつ、着用者の腹部において幅が狭いベルトを採用すると、ベルトの形状がテーパ状に先窄まりになるので、ベルトの材料に無駄が生じる。
したがって、本発明の別の目的は、オムツのバック部が着用者の背面にフィットし易く、かつ、着用者の腹部回りの着用感が良好なオムツを製造でき、しかも、前記ベルトの材料に無駄が生じないオムツの製造方法を提供することである。本発明の更なる別の目的は、オムツの風合い（または見栄え）を向上させることである。
【０００５】
本第１発明のあるオムツの製造方法は、着用者の腹側を覆うフロント部、着用者の背側を覆うバック部、ならびに、前記フロント部とバック部との間の股部を有するオムツ本体と、前記バック部の胴回り方向の一方の端部に固定された第１端部を有する第１ベルトと、前記バック部の胴回り方向の他方の端部に固定された第２端部を有する第２ベルトとを備え、着用時に前記第１および第２ベルトが互いに接合されて着用者の胴回りを締めるオムツの製造方法であって、搬送方向に連続すると共に前記第１端部となる第１側部を有する帯状の第１ウエブを搬送する工程と、前記第１ウエブを搬送しながら、前記第１ウエブの長手方向に連続した第１折りラインに沿って、前記第１ウエブを折り返す工程と、搬送方向に連続すると共に前記第２端部となる第２側部を有する帯状の第２ウエブを搬送する工程と、前記第２ウエブを搬送しながら、前記第２ウエブの長手方向に連続した第２折りラインに沿って、前記第２ウエブを折り返す工程と、前記第１折りラインと前記第２折りラインとが互いに近接ないし互いに重なるように、前記第１ウエブおよび／または第２ウエブの搬送経路を変更する工程と、前記第１および第２ウエブを折り返す工程および前記搬送経路を変更する工程の後、前記第１ウエブおよび第２ウエブを各ウエブの幅方向に延びる切断線に沿って切断して前記第１および第２ベルトの組を次々に形成する工程と、前記オムツ本体を構成する連続体における前記バック部を構成する部位に重なるように、前記第１および第２ベルトの各組を前記連続体の搬送方向の所定の間隔で配置する工程と、前記所定の間隔で配置した第１および第２ベルトを、前記連続体における前記バック部を構成する部位に仮接合する工程と、前記第１ベルトにおける前記第１側部を、前記連続体における前記バック部の胴回り方向の一方の端部を構成する部位に固定し、第２ベルトにおける前記第２側部を、前記連続体における前記バック部の胴回り方向の他方の端部を構成する部位に固定することで、前記第１および第２ベルトの組を前記連続体に固定する工程と、前記第１および第２ベルトが固定された前記連続体を前記所定の間隔で切断して、個々のオムツに切り放す工程とを含む。
【０００６】
本第１発明によれば、折り返した第１および第２ウエブを互いに接近させた後に、切断および配置を行うので、１組のベルトごとに切断および配置を行うことができるから、ベルト相互の位置ズレが生じにくい。また、装置構成も簡易になる。
【０００７】
本第１発明の好ましい態様では、前記第１ウエブを折り返す工程において、前記第１側部が前記第１ウエブの前記第１側部以外の部位に重ならないように前記第１ウエブが折り返され、前記第２ウエブを折り返す工程において、前記第２側部が前記第２ウエブの前記第２側部以外の部位に重ならないように前記第２ウエブが折り返され、前記第１および第２ベルトの各組を配置する工程において、前記第１側部が前記連続体の第１側縁から突出する状態で配置され、かつ、前記第２側部が前記連続体の前記第１側縁とは反対側の第２側縁から突出する状態で配置され、前記各ベルトの組を前記連続体に固定する工程において、前記連続体の前記第１側縁から突出する前記第１側部の少なくとも一部を折り返して、前記第１側部と前記第１ベルトの前記第１側部以外の部分との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２ベルトの前記第２側部以外の部分との間で前記連続体を挟んだ後に、前記第２側部のうちの前記折り返された部位の少なくとも一部が前記連続体の前記第２側縁の近傍に固定される。
【０００８】
本第１発明において、ベルトを折り返すことなく、ベルトがバック部に接合されて固定されると、着用時にベルトを引っ張った際にベルトとバック部との接合部分が剥がれ易くなる。これに対し、本態様のように、ベルトを折り返して、当該ベルトの折り返し部分がバック部に接合されて固定されることにより、着用時にベルトを引っ張っても、ベルトとバック部との接合部分が剥がれ難くなる。
また、重なっていない側部をバック部に折り返すので、着用時にベルトの自由端を剥がし易い。
【０００９】
本第１発明の別の好ましい態様では、前記搬送経路を変更する工程の後、前記第１および第２ウエブを切断する工程の前に、前記第１ウエブの前記第１折りラインの部位と前記第２ウエブの第２折りラインの部位とを互いに仮接合して１つの仮接合ウエブを形成する工程を更に備えている。
【００１０】
本態様では、２つのウエブを仮接合することにより、その後の工程を１つのウエブとして取り扱うことができるから、製造設備が簡易になる。
【００１１】
本第２発明のあるオムツの製造方法は、着用者の腹側を覆うフロント部、着用者の背側を覆うバック部、ならびに、前記フロント部とバック部との間の股部を有するオムツ本体と、前記バック部の胴回り方向の一方の端部に固定された第１端部を有する第１ベルトと、前記バック部の胴回り方向の他方の端部に固定された第２端部を有する第２ベルトとを備え、着用時に前記第１および第２ベルトが互いに接合されて着用者の胴回りを締めるオムツの製造方法であって、搬送方向に連続すると共に前記第１端部となる第１側部および前記第２端部となる第２側部を有する帯状のウエブを搬送する工程と、前記ウエブを搬送しながら、前記ウエブの長手方向に連続した波形の切断線に沿って前記ウエブを切断することで、前記ウエブの幅方向に延びる複数の第１帯状部を有すると共に前記各第１帯状部同士が前記ウエブの前記第１側部において連なる櫛状の第１分割ウエブと、前記ウエブの幅方向に延びる複数の第２帯状部を有すると共に前記各第２帯状部同士が前記ウエブの前記第２側部において連なる櫛状の第２分割ウエブとを形成する工程と、前記第１帯状部の一部と他部とが互いに重なるように前記第１帯状部を前記ウエブの長手方向に延びる第１折りラインに沿って折り返すと共に、前記第１帯状部の一部と他部とを仮接合する工程と、前記第２帯状部の一部と他部とが互いに重なるように前記第２帯状部を前記ウエブの長手方向に延びる第２折りラインに沿って折り返すと共に、前記第２帯状部の一部と他部とを仮接合する工程と、前記第１分割ウエブを前記第１側部において切断すると共に前記第２分割ウエブを前記第２側部において切断して、前記第１帯状部を含む第１ベルトおよび前記第２帯状部を含む第２ベルトの組を次々に形成する工程と、前記オムツ本体を構成する連続体における前記バック部を構成する部位に重なるように、前記第１および第２ベルトの各組を前記連続体の搬送方向の所定の間隔で配置する工程と、前記所定の間隔で配置した第１および第２ベルトを前記連続体における前記バック部を構成する部位に仮接合する工程と、前記第１ベルトにおける前記第１側部を前記バック部の胴回り方向の前記一方の端部を構成する部位に固定し、前記第２ベルトにおける前記第２側部を前記バック部の胴回り方向の前記他方の端部を構成する部位に固定することで、前記第１および第２ベルトの組を前記連続体に固定する工程と、前記第１および第２ベルトが固定された前記連続体を前記所定の間隔で切断して、個々のオムツに切り放す工程とを含む。
【００１２】
本第２発明の方法により製造されたオムツは、各ベルトが先端に近づくに従い細くなるので、着用者の腹部周りにおいてベルトが邪魔にならず、着用感が良い。
一方、着用者の背面においてベルトの幅が広いので、オムツのバック部全体が着用者の背面にフィットし易い。
しかも、ウエブを切断して前記帯状のベルトが作成されるので、材料に無駄が生じない上、見栄えもよい。
【００１３】
本発明において、「仮接合」とは、ベルトやオムツ本体を実質的に傷めることなく、ベルト同士やオムツ本体から部材を容易に剥がすことのできる状態に、ベルトや部材を接合することをいい、一般に、「仮接合」された部分は「固定」された部分よりも剥がし易い。
また、本発明において、「オムツ」とは、小便および大便等を吸収可能な着用物品を含むほか、いわゆる失禁パッドのような少量の小便の吸収を本来的な目的とした着用物品を含む。
【００１４】
本第２発明の好ましい態様では、前記第１および第２ベルトの各組を配置する工程において、前記第１側部が前記連続体の第１側縁から突出する状態で配置され、かつ、前記第２側部が前記連続体の前記第１側縁とは反対側の第２側縁から突出する状態で配置され、前記各ベルトの組を前記連続体に固定する工程において、前記連続体の前記第１側縁から突出する前記第１側部の少なくとも一部を折り返して、前記第１側部と前記第１帯状部との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２帯状部との間で前記連続体を挟んだ後に、前記第２側部のうちの前記折り返された部位の少なくとも一部が前記連続体の前記第２側縁の近傍に固定される。
【００１５】
本第２発明において、ベルトを折り返して、当該ベルトの折り返し部分がバック部に接合されて固定されることにより、着用時にベルトを引っ張っても、ベルトとバック部との接合部分が剥がれ難くなる。
【００１６】
本第２発明の別の好ましい態様では、前記第１側部と前記第２側部とが互いに離れる方向に前記第１分割ウエブおよび第２分割ウエブを相対的に変位させる工程を更に含み、前記第１および第２ベルトの各組を配置する工程において、前記第１ベルトの第１側部の概ね全部が前記連続体の前記第１側縁から突出する状態で配置され、前記第２ベルトの第２側部の概ね全部が前記連続体の前記第２側縁から突出する状態で配置され、前記各ベルトの組を前記連続体に固定する工程において、前記連続体の前記第１側縁から突出する前記第１側部の少なくとも一部を折り返して、前記第１側部と前記第１帯状部との間で前記連続体を挟んだ後に、前記第１側部のうちの前記折り返された部位の少なくとも一部が前記連続体の前記第１側縁の近傍に固定され、前記連続体の前記第２側縁から突出する前記第２側部の少なくとも一部を折り返して、前記第２側部と前記第２帯状部との間で前記連続体を挟んだ後に、前記第２側部のうちの前記折り返された部位の少なくとも一部が前記連続体の前記第２側縁の近傍に固定される。
【００１７】
本態様では、前記変位工程により、第１側部を連続体から大きく突出させることが可能になる。そのため、前記第１側部が折り返されることにより、幅広の第１側部の概ね全部がバック部に重なるので、前記幅広の第１側部がオムツ本体から出っ張ることがないから、見栄えが良くなる。また、ベルトが強固にバック部により固定されることができる。
【図面の簡単な説明】
【００１８】
【図１】図１（ａ）〜図１（ｅ）は、それぞれ、本発明にかかるベルトの製造方法の一例を示す正面図、図１（ｆ）、図１（ｇ）および図１（ｈ）は、それぞれ、If-If 線断面図、Ig-Ig 線断面図およびIh-Ih 線断面図である。
【図２】図２（ａ）〜図２（ｃ）は、それぞれ、本発明にかかるオムツの製造方法の一例を示す正面図、図２（ｄ）および図２（ｅ）は、それぞれ、IId-IId 線断面図およびIIe-IIe 線断面図である。
【図３】図３（ａ）、図３（ｂ）および図３（ｃ）は、それぞれ、製造されたオムツを示す背面図、正面図および IIIc-IIIc線断面図、図３（ｄ）は着用時におけるオムツの概略断面図である。
【図４】図４（ａ）、図４（ｂ）および図４（ｃ）は、それぞれ、ベルトを拡げた際のオムツを示す正面図、 IVb-IVb線断面図および IVc-IVc線断面図である。
【図５】図５（ａ）〜図５（ｅ）は、それぞれ、本発明にかかるベルトの製造方法の一例を示す正面図、図５（ｆ）、図５（ｇ）および図５（ｈ）は、それぞれ、Vf-Vf 線断面図、Vg-Vg 線断面図およびVh-Vh 線断面図である。
【図６】図６（ａ）〜図６（ｃ）は、それぞれ、本発明にかかるオムツの製造方法の一例を示す正面図である。
【図７】図７（ａ）および図７（ｂ）は、それぞれ、製造されたオムツを示す背面図および正面図である。
【図８】図８（ａ）、図８（ｂ）および図８（ｃ）は、それぞれ、ベルトを拡げた際のオムツを示す正面図、 VIIIb-VIIIb線断面図および VIIIc-VIIIc線断面図である。
【図９】図９（ａ）〜図９（ｉ）は、それぞれ、本発明の変形例を示す概略断面図である。
【図１０】図１０（ａ）〜図１０（ｄ）は、それぞれ、本発明の変形例を示す概略断面図である。
【図１１】図１１（ａ）〜図１１（ｃ）は、それぞれ、本発明にかかるベルトの製造方法の一例を示す正面図、図１１（ｄ）はXId-XId 線断面図である。
【図１２】図１２（ａ）〜図１２（ｃ）は、それぞれ、本発明にかかるオムツの製造方法の一例を示す正面図、図１２（ｄ）および図１２（ｅ）は、それぞれ、XIId-XIId 線断面図およびXIIe-XIIe 線断面図である。
【図１３】図１３（ａ）、図３（ｂ）および図３（ｃ）は、それぞれ、製造されたオムツを示す背面図、正面図およびXIIIc-XIIIc 線断面図、図１３（ｄ）は着用時におけるオムツの概略断面図である。
【図１４】図１４（ａ）、図１４（ｂ）および図１４（ｃ）は、それぞれ、ベルトを拡げた際のオムツを示す正面図、XIVb-XIVb 線断面図およびXIVc-XIVc 線断面図である。
【符号の説明】
【００１９】
１：第１ベルト
１１：第１端部（固定端部）
１３：第１テーパ状部（第１帯状部）
２：第２ベルト
２１：第１端部（固定端部）
２３：第２テーパ状部（第２帯状部）
３：オムツ本体
３ｂ：バック部
３ｃ：股部
３ｆ：フロント部
４１：第１接合部材
４２：第２接合部材
Ｌ：切断線
Ｌ１：第１折りライン
Ｌ２：第２折りライン
Ｗ：ウエブ
Ｗ１：第１分割ウエブ、第１ウエブ
Ｗ２：第２分割ウエブ、第２ウエブ
Ｓ１：第１側部
Ｓ２：第２側部
【発明を実施するための最良の形態】
【００２０】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。【００２１】
第１実施例：
以下、本発明の実施例が図面にしたがって説明される。
まず、製造方法の説明に先立って、本発明により製造され得るオムツの一例が、図３（ａ）〜図３（ｄ）および図４（ａ）〜図４（ｃ）にしたがって説明される。【００２２】
図４（ａ）において、オムツは、オムツ本体３と第１ベルト１と第２ベルト２とを備える。前記オムツ本体３は、着用者の腹側を覆うフロント部３ｆと、着用者の背側を覆うバック部３ｂと、前記フロント部３ｆと前記バック部３ｂとの間の股部３ｃとを有する。前記第１および第２ベルト１，２は、前記バック部３ｂから胴回り方向の両側に突出して設けられている。両ベルト１，２は、後述するように、互いに接合されて着用者の胴回りを締めるためのものである。【００２３】
図４（ｃ）は、図４（ａ）におけるIVc-IVc 線断面図である。
図４（ａ）、図４（ｃ）に示すように、オムツ本体３は、複数のシート状部材、吸収体および弾性部材を積層してなる。
図４（ａ）、図４（ｃ）に示すように、前記オムツ本体３は、液透過性を有するトップシート３１と、吸収体Ｃと、液不透過性を有するバックシート３２と、アウターシート３３とを積層して形成される。防漏壁（カフ）３４が、トップシート３１の上に設けられてもよい。
なお、吸収体Ｃは、パルプを紛砕したフラッフパルプおよび／または高吸収性ポリマーを有していてもよい。吸収体Ｃは、エアレイドパルプ等でもよい。【００２４】
前記防漏壁３４は、便および／または尿が吸収体Ｃまたはオムツの外に出るのを妨げる。防漏壁３４は立体的であってもよい。前記オムツ本体３には、便および／または尿がオムツから漏れるのを防止するための複数の弾性部材３５が設けられてもよい。
フロント部３ｆおよびバック部３ｂには、着用者とオムツとのズレを抑えるためのウエストギャザを形成する弾性部材３６，３７が配置されてもよい。弾性部材３５〜３７は、糸ゴムでもよいし、平ゴムでもよい。【００２５】
前記オムツ本体３のバック部３ｂの胴回り方向の両端部には、前記第１および第２ベルト１，２の第１および第２端部（固定端部）１１，２１が固定されている。前記各ベルト１，２の第１および第２端部１１，２１は、たとえば、防漏壁３４を構成するウエブとバックシート３２との間に挟まれて固定されている。【００２６】
前記第１ベルト１は前記第１端部１１において幅が広くなっており、かつ、前記第１端部１１から自由端部１２に行くに従って幅が狭くなる第１テーパ状部（第１帯状部の一例）１３を有する。また、前記第２ベルト２は前記第２端部２１において幅が広くなっており、かつ、前記第２端部２１から自由端部２２に行くに従って幅が狭くなる第２テーパ状部（第２帯状部の一例）２３を有する。【００２７】
なお、前記各テーパ状部１３，２３は、必ずしも滑らかなテーパ状に形成する必要はなく、先端に近づくに従い段階的に細くなる帯状であってもよい。また、帯状部はテーパ状ではなく、一定の幅であってもよい。【００２８】
前記第１ベルトの自由端部１２の内面側には、第１接合部材４１が固定されている。前記第１接合部材４１は第２ベルト２の外面側と接離可能に（取外し可能に）接合される。図３（ｄ）のオムツの着用状態において、前記第１接合部材４１は第２ベルト２の中央部２３ないし自由端部２２に接合される。これにより、第１および第２ベルト１，２とバック部３ｂとが環状に連なって、オムツが着用者の胴部にフィットする。着用者は、自身の胴回りに合わせて、第１接合部材４１が接合される第２ベルト２の位置を調整することで、フィット感を調整できる。【００２９】
図４（ａ）のオムツ本体３のフロント部３ｆの内面側には、第２接合部材４２が固定されている。図３（ｄ）に示すように、前記第２接合部材４２により、オムツの着用状態において、フロント部３ｆが前記第１および第２ベルト１，２の外面側に接合される。これにより、オムツが股間に当てがわれることが可能になる。【００３０】
なお、本明細書において、「内面側」とは、着用時に肌に接する側をいい、一方、「外面側」とは、前記内面側とは反対の側であって、着用時に外側に露出する側をいう。【００３１】
図４（ａ）の前記各接合部材４１，４２としては、たとえば、面ファスナや粘着テープが採用されてもよい。本実施例の場合、前記防漏壁３４、前記第１および第２ベルト１，２を構成する材料は不織布であり、一方、前記各接合部材４１，４２は雄面ファスナであり、前記雄面ファスナは前記不織布の表面に係合して接合される。
なお、雄面ファスナに係合する雌面ファスナがベルト１，２に設けられてもよい。【００３２】
つぎに、オムツの製造方法の一例が説明される。
まず、前記一組のベルト１，２の製造方法が図１および図２に従って説明される。
図１（ａ）に示すように、帯状の連続ウエブＷは、矢印の方向（搬送方向）Ｙに搬送されながら、所定のピッチλ（図１（ｂ））で複数の第１接合部材４１が前記ウエブＷに固定される。なお、第１接合部材４１は、図１（ａ）の紙面の裏側に相当する面（製造されたオムツのベルトの内面側となる面）に固定される。【００３３】
ついで、図１（ｂ）に示すように、前記帯状のウエブＷが搬送されながら、前記ウエブＷの長手方向に連続した波形の切断線Ｌに沿って前記ウエブＷが切断される。これにより、櫛状の第１および第２分割ウエブＷ１，Ｗ２が生成される。前記第１分割ウエブＷ１はテーパ状の複数の第１テーパ状部１３を有すると共に、前記各第１テーパ状部１３同士が前記ウエブＷの一方の側縁を含む第１側部Ｓ１において連なっている。前記第２分割ウエブＷ２は、テーパ状の複数の第２テーパ状部２３を有すると共に、前記各第２テーパ状部２３同士が前記ウエブＷの他方の側縁を含む第２側部Ｓ２において連なっている。前記第１および第２テーパ状部１３，２３は、それぞれ、前記第１および第２側部Ｓ１，Ｓ２から自由端部１２，２２に近づくに従い細くなる先細りの形状を有する。なお、第１および第２側部Ｓ１，Ｓ２は、それぞれ、後述する各側部Ｓ１，Ｓ２の切断工程の後、第１および第２ベルトの固定端部１１，２１（図４（ａ））になる。【００３４】
前記ウエブＷの切断は、各第１テーパ状部１３に前記第１接合部材４１が含まれるように、行われる。また、前記ウエブＷを切断する切断線Ｌの波長は、前記第１接合部材４１を配置したピッチλに等しい。【００３５】
続いて、前記２つの分割ウエブＷ１，Ｗ２が、たとえば上下に分離されて搬送される。この後、図１（ｃ）のように、第１テーパ状部１３の自由端部１２が、第１テーパ状部１３の第１側縁部Ｓ１寄りの基端部１２ｅに重なるように、自由端部１２の第１折りラインＬ１に沿って、折り曲げ部１２ｆを中心に第１テーパ状部１３が折り返される。第１折りラインＬ１は、第１テーパ状部１３の長手方向の概ね中央において、該長手方向に直交する方向に延びるラインである。図１（ｇ）は、図１（ｃ）におけるIg-Ig 線断面図である。かかる折り返しの際に、図１（ｇ）に示すように、ホットメルト樹脂等の接着剤９Ａにより、第１テーパ状部１３の自由端部１２が基端部１２ｅに重なった状態で仮接合される（第１の仮接合）。【００３６】
一方、図１（ｃ）に示すように、第２テーパ状部２３の自由端部２２が、第２テーパ状部２３の第２側部Ｓ２寄りの基端部２２ｅに重なるように、自由端部２２の第２折りラインＬ２に沿って、折り曲げ部２２ｆを中心に第２テーパ状部２３が折り返される。第２折りラインＬ２は、第２テーパ状部２３の長手方向の概ね中央において、該長手方向に直交する方向に延びるラインである。図１（ｆ）は、図１（ｃ）におけるIf-If 線断面図である。かかる折り返しの際に、図１（ｆ）に示すように、ホットメルト樹脂等の接着剤９Ａにより、第２テーパ状部２３の自由端部２２が基端部２２ｅに重なった状態で仮止接合される（第１の仮接合）。【００３７】
前記分離して搬送される際に、後に、図１（ｄ）に示すように、第１テーパ状部１３の折り曲げ部１２ｆと、第２テーパ状部２３の折り曲げ部２２ｆとが互いに接近するように、第１分割ウエブＷ１および第２分割ウエブＷ２の位相がウエブＷの搬送方向Ｙに沿って相対的にズレるようにする。すなわち、両折り曲げ部１２ｆ，２２ｆが互いに向かい合うように両分割ウエブＷ１，Ｗ２の相対的な位置関係が変更される。かかる位置関係の変更は、いずれか一方のウエブＷ１（Ｗ２）をずらすことで行われてももよい。たとえば、第１または第２分割ウエブＷ１，Ｗ２のうち一方を（λ／２＋ｎλ）だけ遅らせて搬送することにより、第１テーパ状部１３と第２テーパ状部２３とが互いに向かい合う。【００３８】
その後、前記位置関係の変更により互いに接近した第１および第２テーパ状部１３，２３を含むように、前記第１および第２分割ウエブＷ１，Ｗ２が各側部Ｓ１，Ｓ２において同時に切断されて、一組の前記第１および第２ベルト１，２が形成される。この切断の切断線は第１および第２分割ウエブＷ１，Ｗ２の幅方向Ｘに延びるラインである。
図１（ｈ）は、図１（ｄ）のIh-Ih 線断面図である。図１（ｈ）に示すように、第１ベルト１および第２ベルト２は、搬送方向Ｙに略直交する幅方向Ｘの中心に対して対称に搬送される。【００３９】
前記各組の第１および第２ベルト１，２の生成後、図１（ｅ）のように、隣接する各組のベルト１，２の間の間隔が所定の間隔Ｐに広げられる。これにより、各組のベルトのピッチＰは、後に生成されるオムツのピッチＰないし全長に等しくなる。【００４０】
次に、図２（ａ）のように、前記各組の第１および第２ベルト１，２が連続体３０に搬送方向Ｙの所定のピッチＰで配置される。前記連続体３０は、たとえば、１枚のウエブからなるキャリアウエブまたは複数のウエブを積層した複合体であり、後に切断されてオムツ本体３が構成される。この連続体３０は、バック部３ｂになる部位とフロント部３ｆになる部位とが長手方向に交互に並ぶように形成されている。各組の第１および第２ベルト１，２は、前記連続体３０におけるバック部３ｂ（図３（ｂ））になる部位に重なるように配置されると共に、図２（ｄ）のようにホットメルト樹脂等の接着剤９Ｂにより当該部位に仮接合（第２の仮接合）される。この第２の仮接合により、前記各組の第１および第２ベルト１，２が連続体３０から離れないような状態で搬送することができる。【００４１】
前記配置工程において、前記第１ベルト１の固定端部１１（第１側部Ｓ１の一部）が前記連続体３０の第１側縁３０１ｅから突出する状態で、第１ベルト１が配置される。前記第２ベルト２の固定端部２１（第２側部Ｓ２の一部）が前記第１側縁３０１ｅとは反対側の第２側縁３０２ｅから突出する状態で、第２ベルト２が配置される。各ベルト１，２は、折り返された各テーパ状部１３，２３の先端が、前記各側縁３０１ｅ，３０２ｅに位置（一致）するように配置される。【００４２】
前記第２の仮接合の後に、前記連続体３０の各側縁３０１ｅ，３０２ｅから突出する前記固定端部１１，２１が、図２（ｂ）のように、折り返される。これにより、前記各固定端部１１，２１と前記各テーパ状部１３，２３との間で前記連続体３０が挟まれる。この後に、前記各固定端部１１，２１の前記折り返した部位の少なくとも一部が、それぞれ、前記連続体３０の前記各側縁３０１ｅ，３０２ｅの近傍に固定される。
すなわち、前記各ベルト１，２の固定端部１１，２１が、前記バック部３ｂ（図３（ｂ））における胴回り方向の両端部となる部位において固定される。【００４３】
前記各ベルト１，２の固定後、図２（ｃ）に示すように、前記連続体３０に前記吸収体Ｃやバックシート３２、アウターシート３３（図３（ｃ））などが積層されて、オムツ本体３（図３（ｂ））に相当する積層体が生成される。その後、前記連続体３０を含む積層体が前記所定のピッチＰで切断されて、個々のオムツに切り放される。すなわち、オムツ本体の長手方向の長さがＰのオムツが生成されるように、前記積層体が該積層体の幅方向に延びる切断線に沿って切断される。この切断の際に、仮想線で示すのと異なり、前記テーパ状部１３，２３を切断しないように、前記各ベルト１，２の固定端部１１，２１が切断されてもよい。この場合、フロント部３ｆに前記各固定端部１１，２１の切れ端１１ｅ，２１ｅ（図３（ｂ））が残る。なお、前記各ベルト１，２の固定端部１１，２１を切断しない位置で連続体３０のみが切断されるようにしてもよい。【００４４】
前記連続体３０が切断される工程において、前記連続体３０における股部３ｃを構成する部位の一部が除去（トリミング）されてもよい。このトリミングは、前記連続体３０を切断する工程の前または後に行われてもよい。【００４５】
こうして、図３（ｂ）および図３（ｃ）に示すオムツが生成される。これらの図に示すように、製造された前記オムツにおいては、折り曲げ部１２ｆ，２２ｆにおいて、それぞれ折り曲げられた前記第１および第２のベルト１，２が、前記バック部３ｂの内面側ＩＮに重なるように折り畳まれている。【００４６】
図３（ｂ）の前記第１ベルト１の固定端部１１は、前記バック部３ｂの胴回り方向の一端で折り返されて当該バック部３ｂに固定されている。前記第２ベルト２の固定端部２１は前記バック部３ｂの胴回り方向の他端で折り返されて当該バック部３ｂに固定されている。なお、オムツの出荷時には、オムツ本体３が股部３ｃにおいて２つに折り畳まれて、第２接合部材４２により、フロント部３ｆが第１ベルト１および第２ベルト２の上に仮接合された状態であってもよい。また、フロント部３ｆが、いずれか一方のベルト１（２）の上に仮接合された状態であってもよい。【００４７】
前記連続体３０にバックシート３２を積層する際に、前記各ベルト１，２の固定端部１１，２１が、図４（ｂ）の防漏壁３４とバックシート３２との間に挟まれた状態となって、防漏壁３４およびバックシート３２の双方に接着されてもよい。この場合、前記各ベルト１，２のオムツ本体３に対する固定が強固になる。【００４８】
次に、本オムツの着用方法が説明される。
着用者は図３（ｂ）および図３（ｃ）の前記折り畳まれた第１ベルト１および第２ベルト２を開いて、前記第１および第２の仮接合を解く。着用者は、立姿勢の状態で、図３（ｄ）のように、前記第１接合部材４１により両ベルト１，２の先端部を着用者の腹側において互いに接合する。この接合後、着用者は、当該互いに接合された第１ベルトおよび第２ベルト１，２に、前記第２接合部材４２，４２を介して、前記フロント部３ｆを接合して、オムツを着用する。なお、ベルト１，２のいずれか一方に、第２接合部材４２，４２を介してフロント部３ｆを接合してもよい。【００４９】
第２実施例：
図５（ａ）〜図８（ｃ）は第２実施例を示す。
本第２実施例で製造されるオムツでは、図７（ａ），（ｂ）および図８（ａ）〜（ｃ）に明示するように、第１および第２ベルト１，２における幅広の固定端部１１，２１の概ね全部が折り返されてオムツ本体３に固定されている。【００５０】
このようにベルトが固定されたオムツは、幅広の固定端部１１，２１がオムツ本体３から出っ張っらないので、見栄えがよい上、各ベルト１，２とオムツ本体との接合部分が大きくなるので、各ベルト１，２のオムツ本体３に対する固定が強固になる。【００５１】
次に、本実施例のオムツの製造方法の一例が説明される。
この例では、図５（ｂ）に示すウエブＷの切断後、第１テーパ状部１３の自由端部１２と第２テーパ状部２３の自由端部２２を折り曲げるまでの間に、第１分割ウエブＷ１と第２分割ウエブＷ２とを互いに離間させる。すなわち、図５（ｃ）に示すように、前記第１側部Ｓ１と前記第２側部Ｓ２とがウエブの幅方向Ｘに互いに離れるように前記第１分割ウエブＷ１および第２分割ウエブＷ２が離間される。なお、この離間においては、一方の分割ウエブＷ１（Ｗ２）のみをウエブの幅方向Ｘに移動させてもよいし、２つの分割ウエブＷ１，Ｗ２の双方をウエブの幅方向Ｘに移動させてもよい。【００５２】
その後、図５（ｄ）に示すように、ベルト１，２および第２ベルト２の各折り曲げ部１２ｆ，２２ｆが互いに接近するように、第１および第２ベルト１，２の位相をウエブＷの搬送方向Ｙに沿ってずらす。すなわち、両折り曲げ部１２ｆ，２２ｆが互いに向かい合うように両ベルト１，２の相対的な位置関係が変更される。なお、いずれか一方のベルト１（２）の位相をずらすようにしてもよい。【００５３】
前記離間により、図６（ａ）に示すように、前記各組の第１および第２ベルト１，２を配置する際に、前記第１および第２ベルト１，２の固定端部１１，２１となる前記第１および第２側部Ｓ１，Ｓ２の概ね全部が、それぞれ、前記連続体３０の各側縁３０１ｅ，３０２ｅから突出する状態で配置される。なお、本実施例では、各テーパ状部１３，２３の先端は、前記各側縁３０１ｅ，３０２ｅよりも内側に配置される。【００５４】
この配置後、図６（ｂ）に示すように、前記連続体３０の各側縁３０１ｅ，３０２ｅから突出する前記各固定端部１１，２１を折り返す。その後、前記各固定端部１１，２１の前記折り返した部位の少なくとも一部が前記連続体３０の各側縁３０１ｅ，３０２ｅの近傍に固定される。
その他の製造工程は、第１実施例と同様であり、同一部分または相当部分に同一符号を付して、その詳しい説明を省略する。【００５５】
ところで、図９（ａ）〜（ｉ）および図１０（ａ）〜（ｄ）に示すように、テーパ状部１３，２３が折り曲げられた第１ベルト１および第２ベルト２を、予め互いに仮接合して１つの仮接合ウエブを形成することにより、その後の工程において、第１および第２ベルト１，２を１つのウエブとして取り扱うことができる。【００５６】
図９（ａ）に示すように、第１ベルト１の第１テーパ状部１３が第１折りラインＬ１に沿って折り曲げ部１２ｆで折り曲げられる。ついで、第２ベルト２の自由端部が第１ベルト１の上部に重なるように第２ベルト２を配置する。その後、第１ベルト１の前記折り曲げ部１２ｆと、第２ベルト２の第２テーパ状部２３の中間部（折り曲げ部１２ｆになる部分）とを、ホットメルト等の接着剤９Ｃにより仮接合する。
前記仮接合後、図９（ｂ）に示すように、第２ベルト２の第２テーパ状部２３を第２折りラインＬ２に沿って折り曲げ部２２ｆで折り曲げ、１つの仮接合ウエブを形成する。その後、図９（ｃ）に示すように、両ベルト１，２を、それぞれ連続体３０に仮接合した後、図９（ｄ）に示すように、ベルト１，２の固定端部１１，２１を連続体３０に固定する。【００５７】
図９（ｅ）〜（ｈ）の方法では、連続体３０上で前述の折り曲げが行われる。
すなわち、図９（ｅ）に示すように、まず、連続体３０上に配置された第１ベルト１のテーパ状部１３が第１折りラインＬ１に沿って折り曲げ部１２ｆで折り曲げられる。【００５８】
ついで、図９（ｆ）に示すように、第２ベルト２の自由端部が第１ベルト１の上部に重なるように第２ベルト２を連続体３０上に配置する。その後、第１ベルト１の折り曲げ部１２ｆと、第２ベルト２の第２テーパ状部２３の中間部（折り曲げ部１２ｆになる部分）とを仮接合する。【００５９】
その後、図９（ｇ）に示すように、第２ベルト２の第２テーパ状部２３を第２折りラインＬ２に沿って折り曲げ部２２ｆで折り曲げる。その後、図９（ｈ）に示すように、ベルト１，２の固定端部１１，２１を連続体３０に固定する。【００６０】
なお、図９（ｉ）に示すように、ベルト１，２の折り曲げ部１２ｆ，２２ｆの接着代を、ウエブの厚み方向に大きく取るのが好ましい。【００６１】
図１０（ａ）〜図１０（ｄ）に示すように、ベルト１，２は互いに上下に配置された状態で仮接合されてもよい。
図１０（ａ）に示すように、折り曲げ部１２ｆ，２２ｆで折り曲げられた第１ベルト１と第２ベルト２とを互いに上下方向に位置ずれした状態で配置する。ついで、図１０（ｂ）に示すように、前記折り曲げ部１２ｆ，２２ｆ同士を仮接合して、１つの仮接合ウエブを形成する。なお、該折り曲げ部１２ｆ，２２ｆは、該折り曲げ部１２ｆ，２２ｆ同士が互いに上下方向に重ならないように配置してもよいし、重なるように配置してもよい。
その後、図１０（ｃ）に示すように、仮接合されたウエブ１，２を連続体３０上に配置する。前記配置後、固定端部１１，２１を連続体３０に固定する。【００６２】
実施例３：
図１１〜図１４は第３実施例を示す。
図１３（ａ）〜（ｄ）および図１４（ａ）〜（ｃ）は第３実施例のオムツを示す。
図１３（ｂ）および図１４（ａ）に示すように、本実施例のベルト１，２は、固定端部１１，２１から自由端部１２，２２に至るまで一定の幅を持つ。
本実施例のオムツのその他の構造は、第１実施例と同様であり、その詳しい説明が省略される。【００６３】
本第３実施例では、図１１（ａ）に示すように、第１および第２ベルト１，２となる２枚のウエブＷ１，Ｗ２が用いられる。第１ウエブＷ１および第２ウエブＷ２は搬送方向Ｙにそれぞれ連続しており、互いに平行な状態で該搬送方向Ｙに搬送されながら加工される。両ウエブＷ１，Ｗ２が概ね同一の幅を有する。【００６４】
第１ウエブＷ１と第２ウエブＷ２とが、図示しないセーラ（折り装置）によって、それぞれ折り返される。ここで、第１ウエブＷ１は、該第１ウエブＷ１の長手方向Ｙに沿って連続した第１折りラインＬ１に沿って折り返される。同様に、第２ウエブＷ２は、該第２ウエブＷ２の長手方向Ｙに沿って連続した第２折りラインＬ２に沿って折り返される。【００６５】
両ウエブＷ１，Ｗ２の互いに接近した内側端部Ｗｅは、他端である各側部Ｓ１，Ｓ２に向ってそれぞれ折り返される。第１ウエブＷ１を折り返す際には、第１側部Ｓ１が第１ウエブＷ１の他の部位に重ならないように（内側端部Ｗｅが第１側部Ｓ１に重ならないように）第１ウエブＷ１の折り返しが実行される。この折り返しの状態を維持するために、図１１（ｄ）のように、第１ウエブＷ１は接着剤９Ａにより仮止接合される。一方、図１１（ａ）の第２ウエブＷ２を折り返す際には、第２側部Ｓ２が第２ウエブＷ２の他の部位に重ならないように（内側端部Ｗｅが第２側部Ｓ２に重ならないように）第２ウエブＷ２の折り返しが実行される。この折り返しの状態を維持するために、図１１（ｄ）のように、第２ウエブＷ２は接着剤９Ａにより仮止接合される。【００６６】
その後、図１１（ｂ）に示すように、第１折りラインＬ１と第２折りラインＬ２とが接近するように、両ウエブＷ１，Ｗ２の搬送経路が変更される。なお、いずれか一方のウエブＷ１（Ｗ２）の搬送経路が変更されてもよい。【００６７】
前記搬送経路変更後、第１折りラインＬ１の折り曲げ部１２ｆと、第２折りラインＬ２の折り曲げ部２２ｆとが互いに接着剤９Ｃにより仮接合されて、１つの仮接合ウエブが形成される。図１１（ｄ）は、図１１（ｂ）におけるXId-XId 線断面図である。図１１（ｄ）に示すように、両ベルト１，２は、折り曲げ部１２ｆ，２２ｆ同士で仮接合された１枚のウエブとして搬送される。この仮接合ウエブは、第１ベルト１および第２ベルト２が搬送方向Ｙに略直交する幅方向Ｘの中心に対して対称になるように形成されている。なお、第１ウエブＷ１には第１接合部材４１が固定される。【００６８】
その後、第１ウエブＷ１および第２ウエブＷ２は、これらのウエブの幅方向Ｘに延びる切断線Ｃに沿って切断され、第１および第２ベルト１，２の組が形成される。【００６９】
前記切断後、図１１（ｃ）のように、隣接する各組のベルト１，２間の搬送方向Ｙに沿った間隔が所定のピッチＰに広げられる。これにより、各組のベルトのピッチＰは、後に生成されるオムツのピッチＰないし全長に等しくなる。【００７０】
次に、図１２（ａ）のように、前記各組の第１および第２ベルト１，２が連続体３０の搬送方向Ｙの所定のピッチＰで配置される。前記オムツ本体を構成する連続体３０におけるバック部（図１３（ｂ））を構成する部位に重なるように、第１および第２ベルト１，２の各組が連続体３０の搬送方向Ｙの所定のピッチで配置される。【００７１】
各組の第１および第２ベルト１，２は、前記連続体３０におけるバック部３ｂ（図１３（ｂ））に重なるように配置されると共に、当該部位に仮接合される。
図１２（ｄ）は、図１２（ａ）におけるXIId-XIId 線断面図である。図１２（ｄ）に示すように、前記配置工程において、前記第１および第２ベルト１，２の固定端部１１，２１が、それぞれ、前記連続体３０の第１および第２側縁３０１ｅ，３０２ｅから突出する状態で、各ベルト１，２が配置される。【００７２】
前記仮接合の後に、前記連続体３０の各側縁３０１ｅ，３０２ｅから突出する固定端部１１，２１が、図１２（ｂ）のように折り返される。図１２（ｅ）は、図１２（ｂ）におけるXIIe-XIIe 線断面図である。図１２（ｅ）に示すように、固定端部１１，２１が連続体３０の各側縁３０１ｅ，３０２ｅに沿って折り返され、前記固定端部１１，２１の前記折り返した部位の少なくとも一部が、前記連続体３０の前記各側縁３０１ｅ，３０２ｅの近傍に固定される。【００７３】
したがって、連続体３０におけるバック部の胴回り方向の両端部になる部位に、固定端部１１，２１が固定される。【００７４】
その後、前記連続体３０が前記所定のピッチＰで切断されて、図１３（ｂ）に示す個々のオムツに切り放される。なお、前記切断は、ベルト１，２が配置されていない部位で行われる。【００７５】
本発明において、第１および第２ウエブＷ１，Ｗ２の双方を折り返した後に両ウエブＷ１，Ｗ２の搬送経路を変更する場合は、第１折りラインＬ１と第２折りラインＬ２とが近接ないし重なるように、第１ウエブＷ１および／または第２ウエブＷ２の搬送経路を変更する。一方のウエブＷ１（Ｗ２）を折り返した後に第１ウエブＷ１および／または第２ウエブＷ２の搬送経路を変更する場合（図９）は、一方の折りラインＬ１（Ｌ２）となる部分と他方の折りラインＬ２（Ｌ１）とが近接ないし重なるように、ウエブＷ１，Ｗ２の搬送経路を変更する。両方のウエブＷ１，Ｗ２が重なるように搬送経路を変更した後に両ウエブＷ１，Ｗ２を折り返す場合には、双方の折りラインＬ１，Ｌ２となる部分同士が近接ないし重なるように、第１ウエブＷ１および／または第２ウエブＷ２の搬送経路を変更する。【００７６】
ところで、前記各実施例では、図４（ｂ）の第１および第２ベルト１，２がトップシート３１の防漏壁３４に接合されたが、図８（ｂ）のように、第１および第２ベルト１，２はトップシート３１自体、あるいは、トップシート３１および防漏壁３４の双方に接合されてもよい。【００７７】
また、図２（ａ）の連続体３０として、図４（ｂ）のバックシート３２およびアウターシート３３が採用されて、前記バックシート３２またはアウターシート３３の内面側または外面側に第１および第２ベルト１，２が固定されてもよい。なお、バックシート３２またはアウターシート３３のいずれか一方が連続体３０として採用されてもよい。【００７８】
また、前記各実施例では、図３（ｃ）の第１および第２ベルト１，２がオムツの内面側に載せられたが、第１および第２ベルト１，２が外面側に載せられてもよい。この場合、第１および第２ベルト１，２の端部はオムツの内面側に折り返される。
また、前記各ベルト１，２の折り返しは、ウエブＷの切断後に図１（ｂ）の第１および第２分割ウエブＷ１，Ｗ２の第１および第２側部Ｓ１，Ｓ２が折り返されて実行されてもよい。【００７９】
さらに、前記各実施例では、第１および第２ベルト１，２の固定端部１１，２１を折り返したが、第１および第２ベルト１，２の固定端部１１，２１が、連続体３０の幅内に収まるようにして、前記第１および第２ベルト１，２の固定端部１１，２１を折り返さずに連続体３０に固定することも可能であり、この場合も本発明の範囲に含まれる。更に、前記第１および第２ベルト１，２の固定端部１１，２１を折り返さずに、前記連続体３０の両側部を折り返して、この折り返した部位に前記ベルト１，２の固定端部１１，２１を固定してもよい。【００８０】
以上のとおり、図面を参照しながら好適な実施例を説明したが、当業者であれば、本明細書を見て、自明な範囲で種々の変更および修正を容易に想定するであろう。
たとえば、第１接合部材４１は第２ベルト２の外面側に設けられてもよい。
また、仮接合は、ホットメルト樹脂の他に面ファスナやソニックによる溶着で実現されてもよい。
また、オムツが失禁パッドとして用いられる場合には吸収体Ｃを小さくしてもよい。
また、本オムツは図３（ｄ）に示す用い方（着用状態）に加え、他の用い方を可能とするような構造であってもよい。
したがって、そのような変更および修正は、請求の範囲から定まる本発明の範囲内のものと解釈される。
【産業上の利用可能性】
【００８１】
本発明は、オムツの製造に適用することができる。
【図１】
0004694569.tif 000002
【図２】
0004694569.tif 000003
【図３】
0004694569.tif 000004
【図４】
0004694569.tif 000005
【図５】
0004694569.tif 000006
【図６】
0004694569.tif 000007
【図７】
0004694569.tif 000008
【図８】
0004694569.tif 000009
【図９】
0004694569.tif 000010
【図１０】
0004694569.tif 000011
【図１１】
0004694569.tif 000012
【図１２】
0004694569.tif 000013
【図１３】
0004694569.tif 000014
【図１４】
0004694569.tif 000015